(57)【要約】【課題】スピーカから流れる音声や音楽の音質、音量をそのまま維持するようにして音響効果に悪影響を及ぼさないようにした弾球遊技機を提供する。【解決手段】遊技機本体Ａと該遊技機本体Ａの前面に配置され自在に開閉する回動被覆板８とを備え、遊技機本体Ａの前面に前方を向くようにしてスピーカ１７が装着され、回動被覆板８にはスピーカ１７に対応位置して透音孔３５を有するスピーカカバー部３３が設けられる弾球遊技機Ｐであって、前記スピーカ１７の前端外周縁部に、ゴム等の軟弾性部材からなる遮音材により成形され、かつ、回動被覆板８が閉められたときスピーカカバー部３３を囲うようにして該回動被覆板８の裏面に隙間なく密着する環状パッキン３１を周設した構成からなる。【選択図】図５
2006271656.tif 000002
【特許請求の範囲】
【請求項１】
遊技機本体と該遊技機本体の前面に配置され自在に開閉する回動被覆板とを備え、前記遊技機本体の前面に前方を向くようにしてスピーカが装着され、前記回動被覆板には前記スピーカに対向位置して透音孔を有するスピーカカバー部が設けられる弾球遊技機であって、
前記スピーカの前端外周縁部に、ゴム等の軟弾性部材からなる遮音材により成形され、かつ、前記回動被覆板が閉められたとき前記スピーカカバー部を囲うようにして該回動被覆板の裏面に隙間なく密着する環状パッキンを周設したことを特徴とする弾球遊技機。
【請求項２】
遊技機本体と該遊技機本体の前面に配置され自在に開閉する回動被覆板とを備え、前記遊技機本体の前面に前方を向くようにしてスピーカが装着され、前記回動被覆板には前記スピーカに対向位置して透音孔を有するスピーカカバー部が設けられる弾球遊技機であって、
前記回動被覆板裏側の前記スピーカカバー部の外周縁部に、ゴム等の軟弾性部材からなる遮音材により成形され、かつ、前記回動被覆板が閉められたとき前記スピーカの前端外周縁部に当接して該スピーカの前端外周縁に隙間なく密着する環状パッキンを周設したことを特徴とする弾球遊技機。
【発明の詳細な説明】
【技術分野】
【０００１】
この発明は、遊技機本体と該遊技機本体前面に配置され自在に開閉する回動被覆板とを備え、遊技機本体の前面にスピーカが装着され、回動被覆板には前記スピーカに対向位置してスピーカカバー部が設けられた弾球遊技機に関するものである。
【背景技術】
【０００２】
従来、例えば、弾球遊技機の一種であるパチンコ遊技機では、遊技の興趣を高めるためパチンコ遊技機の適宜個所にスピーカを装着し、遊技内容に合わせてスピーカから音声や音楽を流すようにしている。ところで、外枠及び前面枠からなる遊技機本体と該遊技機本体、すなわち前面枠、の前面に配置され自在に開閉する透明板保持枠といった回動被覆板とを備えたパチンコ遊技機にあっては、前記前面枠の前面に前方を向くようにしてスピーカが装着され、透明板保持枠には前記スピーカに対応位置して透音孔を有するスピーカカバー部が設けられている（例えば、特許文献１参照。）。
【特許文献１】特開平１０−８５３９２号公報（第３−４頁、図１、図２）
【発明の開示】
【発明が解決しようとする課題】
【０００３】
前記特許文献１のパチンコ遊技機にあっては、透明板保持枠が前面枠に対して自在に開閉するようになっているため、透明板保持枠が閉められたときスピーカの前端外周縁とスピーカカバー部の裏面との間に隙間が生じ易い。このようにスピーカの前端外周縁とスピーカカバー部の裏面との間に隙間が生ずると、スピーカから流れる音声や音楽がその隙間を介してスピーカのコーンの裏側に回り、音質や音量が悪くなって音響効果に悪影響を及ぼすといった課題がある。
【０００４】
そこで、本発明は上記課題を解決すべくなされたもので、スピーカから流れる音声や音楽の音質、音量をそのまま維持するようにして音響効果に悪影響が及ぼさないようにした弾球遊技機を提供することを目的とするものである。
【課題を解決するための手段】
【０００５】
かかる目的を達成するため本発明の弾球遊技機は、遊技機本体と該遊技機本体の前面に配置され自在に開閉する回動被覆板とを備え、前記遊技機本体の前面に前方を向くようにしてスピーカが装着され、前記回動被覆板には前記スピーカに対向位置して透音孔を有するスピーカカバー部が設けられる弾球遊技機であって、前記スピーカの前端外周縁部に、ゴム等の軟弾性部材からなる遮音材により成形され、かつ、前記回動被覆板が閉められたとき前記スピーカカバー部を囲うようにして該回動被覆板の裏面に隙間なく密着する環状パッキンを周設した構成からなる。
【０００６】
または、本発明の弾球遊技機は、遊技機本体と該遊技機本体の前面に配置され自在に開閉する回動被覆板とを備え、前記遊技機本体の前面に前方を向くようにしてスピーカが装着され、前記回動被覆板には前記スピーカに対向位置して透音孔を有するスピーカカバー部が設けられる弾球遊技機であって、前記回動被覆板裏側の前記スピーカカバー部の外周縁部に、ゴム等の軟弾性部材からなる遮音材により成形され、かつ、前記回動被覆板が閉められたとき前記スピーカの前端外周縁に当接して該スピーカの前端外周縁に隙間なく密着する環状パッキンを周設した構成が採られる。
【０００７】
ここで、遊技機本体とは、外枠と、該外枠の前面に装着される前面枠であって遊技盤が配設されるもの或いは配設されないものと、を含む。また、回動被覆板とは、前面枠の前面に配置されるもので、例えば透明板であるガラス板が装着され遊技盤の遊技部前面を囲う透明板保持枠、打球発射部へ供給されるパチンコ球を貯留する打球供給皿が装着される前板、打球供給皿から溢れるパチンコ球を貯留する余剰球受皿が装着される下部前板を含む。また、この場合、前記前板と下部前板が一体に成形されたもの、更には前記透明板保持枠と前板と下部前板とが一体に成形されたものも回動被覆板に含まれる。
【発明の効果】
【０００８】
本発明に係る弾球遊技機は、遊技機本体の前面に前方を向くようにして装着されるスピーカの前端外周縁部に、ゴム等の軟弾性部材からなる遮音材により成形され、かつ、前記回動被覆板が閉められたとき前記スピーカカバー部を囲うようにして該回動被覆板の裏面に隙間なく密着する環状パッキンを周設したので、スピーカの前端外周縁とスピーカカバー部の裏面との間に隙間がなくなる。よって、前記スピーカから流れる音声や音楽の音質、音量をそのまま維持できることになり、音響効果に悪影響を及ぼさないという効果がある。また、これにより、遊技者に遊技の興趣を十分に満喫させることができる。
【０００９】
また、回動被覆板裏側のスピーカカバー部の外周縁部に、ゴム等の軟弾性部材からなる遮音材により成形され、かつ、回動被覆板が閉められたときスピーカの前端外周縁に当接して該スピーカの前端外周縁に隙間なく密着する環状パッキンを周設するようにしても、スピーカの前端外周縁とスピーカカバー部の裏面との間に隙間がなくなる。よって、このような構成としても前記スピーカから流れる音声や音楽の音質、音量をそのまま維持できることになり、音響効果に悪影響を及ぼさないという効果がある。また、これにより、遊技者に遊技の興趣を十分に満喫させることができる。
【００１０】
環状パッキンは軟弾性部材からなりクッション性を有することから、スピーカまたは回動被覆板の損傷が防止できるという効果もある。
【発明を実施するための最良の形態】
【００１１】
以下、本発明に係る弾球遊技機の実施の形態を図面に基づき説明する。なお、弾球遊技機には、例えば、パチンコ遊技機、アレンジボール機または雀球遊技機があるが、本発明にあっては、その一例としてパチンコ遊技機について説明する。図１は本発明が適用されるパチンコ遊技機の斜視図、図２は透明板保持枠を開いたパチンコ遊技機の斜視図である。
【００１２】
パチンコ遊技機Ｐは、外側に木製の外枠１を有し、その前面に合成樹脂製の前面枠２が一側を軸着して開閉自在に装着される。そして、外枠１と前面枠２とにより遊技機本体Ａが構成される。前記前面枠２には遊技盤３が設置される。
【００１３】
前記遊技盤３の前面には、渦巻状に敷設された内側・外側ガイドレール４ａ，４ｂに囲われて遊技部３ａが成形される。該遊技部３ａに、例えばその中央に位置して数字、図柄等の情報を変動表示する可変表示装置５、パチンコ球の入賞によって前記情報を変動させる始動入賞口６が装着される。また、その下方に、前記可変表示装置５の情報が特定の表示（例えば、「７７７」）に揃ったとき、一定の条件で一度に多くの入賞球が得られる入賞装置７が装着されている。
【００１４】
前記前面枠２の前面には、その上部に前記遊技盤３の前面を覆う回動被覆板としての透明板保持枠８が自在に開閉するように配置される。該透明板保持枠８は合成樹脂材により成形され、中央に略円形状の窓開口９が開設される。該窓開口９に該窓開口９を塞ぐようにして透明板であるガラス板が前後に配置された透明板ユニット１０が取着される。そして、この窓開口９を介して前記遊技盤３前面の遊技部３ａが視認できるようになっている。
【００１５】
また、前記前面枠２の前面であって透明板保持枠８の下方に、同じく回動被覆板としての前板１１が自在に回動するように配置される。この前板１１の前面には、打球発射位置（図示せず。）へ供給されるパチンコ球を貯留する打球供給皿１２が装着される。
【００１６】
前面枠２の下部前面に下部前板１３が固着され、該下部前板１３の前面に前記打球供給皿１２から溢れたパチンコ球を貯留する余剰球受皿１４が装着される。また、その一側に、自在に回動して打球の打撃力を調節することができる操作ハンドル１６が設けられている。
【００１７】
前記前面枠２の前面上部であって両側角部に一対のスピーカ１７，１７が装着されている。更に詳しく説明すると、図３に示すように前面枠２の各スピーカ取付部位に所定の大きさの取付用孔１８が開設され、該各取付用孔１８の両側に前方へ突出するボス１９，１９が設けられる。各ボス１９にはその前面に螺子孔２０が設けられている。
【００１８】
各スピーカ１７は、図３、図４に示すようにスピーカ本体２１と該スピーカ本体２１の前面に嵌着されるスピーカ保持枠２２とからなる。スピーカ本体２１は、後側のヨーク部２３と前側に突出して位置するラッパ状のコーン部２４とからなり、コーン部２４の外側に該コーン部２４の外周面を囲うと共に基端部を前記ヨーク部２３に一体に固着したフレーム２５が配置されている。該フレーム２５前端の環状枠部２５ａは前記コーン部２４の前端外周縁が固着されるように円環状をなし、また、環状枠部２５ａの両側にフランジ部２６，２６が一体に突設されている。各フランジ部２６に前記各ボス１９の螺子孔２０と対応位置して螺子挿通孔２７が開設される。
【００１９】
前記スピーカ保持枠２２は、合成樹脂材により成形され、コーン部２４の前端外周を囲いかつフレーム２５の前端面を覆う環状枠体２８を有する。該環状枠体２８の両側に前記フレーム２５の各フランジ部２６を覆うフランジ部２９，２９が一体に突設されている。これらフランジ部２９，２９にも前記螺子挿通孔２７，２７に対応位置する螺子挿通孔３０，３０が開設される。
【００２０】
そして、前記スピーカ１７の前端外周縁部であるスピーカ保持枠２２の前端に、環状パッキン３１が周設される。該環状パッキン３１は、例えばゴム、合成ゴムまたは合成樹脂材といった軟弾性部材からなりかつ遮音性を有する。そして、基端側３１ａに前記スピーカ保持枠２２の前端に嵌着される環状溝３２が凹設され、先端側３１ｂはラッパ状に外側へ開きしかも先端に進むに従い肉厚が薄くなっている。この環状パッキン３１をスピーカ保持枠２２に前側から嵌着し周設することにより、コーン部２４の前端面が囲われ、透明板保持枠８を閉めたとき環状パッキン３１全体が該透明板保持枠８の裏面に隙間なく密着するようになっている。
【００２１】
図２に示すように透明板保持枠８の上部両側には、前記各スピーカ１７に対向位置させてスピーカカバー部３３，３３が成形されている。これらスピーカカバー部３３，３３は前方ヘ突出して成形され後面３４ａが開放しており、前面３４ｂに複数のスリットからなる同心円状の透音孔３５が開設されている。
【００２２】
本発明に係るパチンコ遊技機Ｐは上記構成からなり、まず、スピーカ本体２１のフレーム２５の前面に両フランジ部２９，２９がフレーム２５側のフランジ部２６，２６に合致し重なるようにしてスピーカ保持枠２２を嵌着する。また、スピーカ保持枠２２前面の環状枠体２８に環状パッキン３１を嵌着させて周設する。そして、このようにして組立てられたスピーカ１７を前面枠２の前側から取付用孔１８にヨーク部２３が臨みコーン部２４が前方を向くようにして配置する。この状態で、各フランジ部２６，２９の螺子挿通孔２７，３０を介して各螺子孔２０に螺子３６を螺締する。これにより、前面枠２にスピーカ１７が装着される。
【００２３】
透明板保持枠８が開いているときは、図５（イ）に示すように環状パッキン３１が前方へ突出している。一方、透明板保持枠８が閉められると、図５（ロ）に示すように環状パッキン３１が透明板保持枠８に押されてその裏面に隙間なく密着する。しかも、スピーカカバー部３３を囲うように配置される。これにより、スピーカ１７の前端周縁と透明板保持枠８の裏面との間に隙間がなくなり、スピーカ１７から流れる音声や音楽がコーン部２４の裏側へ回ることがなくなる。よって、前記音声や音楽の音質、音量をそのまま維持できることになり音響効果に悪影響を及ぼすことがない。
【００２４】
図６乃至図７は他の実施の形態に係る環状パッキンを使用した場合を示すものであり、図６は組立てた状態のスピーカの側面断面図、図７（イ）は透明板保持枠を開いた状態のパチンコ遊技機におけるスピーカ部位の側面断面図、図７（ロ）は透明板保持枠を閉じた状態のパチンコ遊技機におけるスピーカ部位の側面断面図である。
【００２５】
この他の実施の形態に係るスピーカ１７ａにあっては、環状パッキン３７の形状が本実施の形態の環状パッキン３１の形状と異なるだけで、他の部位は本実施の形態に係るスピーカ１７と同じ構成であることから、同一部位は同一番号を附すことによって詳しい説明は割愛する。他の実施の形態に係る環状パッキン３７は、本実施の形態に係る環状パッキン３１と同じ素材により成形され軟弾性を有しかつ遮音性を有する。そして、この環状パッキン３７は横断面が略楕円形をなす中空パイプ状に成形されると共に後端面中央が長手方向に沿って分割されており、この分割部３８の両側全体にそれぞれ後方へ平行に突出する帯状の挟着片３９，３９が設けられる。
【００２６】
スピーカ保持枠２２前面の環状枠体２８に両挟着片３９，３９間の環状隙間部４０を嵌着させることにより環状パッキン３７が周設される。そして、透明板保持枠８が開いているときは、図７（イ）に示すように前記環状パッキン３７は横断面が初期の略楕円形をなしている。一方、透明板保持枠８が閉まったときは、図７（ロ）に示すように環状パキン３７が前記透明板保持枠８に押されてその裏面に隙間なく密着する。しかも、スピーカカバー部３３を囲うように配置される。これにより、スピーカ１７ａの前端外周縁と透明板保持枠８の裏面との間に隙間がなくなり、スピーカ１７ａから流れる音声や音楽がコーン部２４の裏側へ回ることがなくなる。よって、このような構成であっても、前記音声や音楽の音質、音量をそのまま維持できることになり、音響効果に悪影響を及ぼすことはない。
【００２７】
前記両実施の形態では、スピーカ１７，１７ａの前端外周縁部に環状パッキン３１，３７を周設した構成を示したが、図８に示すようにスピーカカバー部３３側に図７と同じ横断面が略楕円形をなす中空パイプ状に成形される前記環状パッキン３７を周設するようにしても良い。なお、この他の実施の形態にあっても、そのほとんどの構成が前記各実施の形態と同じであるので、この場合も両実施の形態と同一部位は同一番号を附すことにより詳しい説明は割愛する。すなわち、この実施の形態では、透明板保持枠８裏側のスピーカカバー部３３を囲うようにしてその外周縁部に環状突部４１が突設され、該環状突部４１に環状パッキン３７を周設してなる。一方、前面枠２の前面に装着されるスピーカ１７ｂは、前記両実施の形態のようにスピーカ１７，１７ａの前面に装着されるスピーカ保持枠２２が使用されない。
【００２８】
そして、透明板保持枠８が開いているとき、図８（イ）に示すように前記環状パッキン３７は横断面が初期の略楕円形をなしている。一方、透明板保持枠８が閉まったときは、図８（ロ）に示すようにスピーカ１７ｂの前端外周縁に環状パッキン３７が当接して該スピーカ１７ｂの前端外周縁に隙間なく密着する。これにより、スピーカ１７ｂの前端外周縁と透明板保持枠８の裏面との間に隙間がなくなり、スピーカ１７ｂから流れる音声や音楽がコーン部２４の裏側へ回ることがなくなる。よって、このような構成であっても、前記音声や音楽の音質、音量をそのまま維持できることになり、音響効果に悪影響を及ぼすことはない。
【００２９】
本発明にあっては、回動被覆板として透明板保持枠８を説明したが、他に前板１１であっても良く、この場合は該前板１１にスピーカカバー部３３が設けられ、これと対向して前面枠２の前面にスピーカ１７，１７ａ，１７ｂが装着される。
【００３０】
また、前記下部前板１３が開閉自在に装着される場合は、この下部前板１３を回動被覆板とすることができる。更に、パチンコ遊技機Ｐの機種によっては、透明板保持枠８と前板１１が一体になったもの、前板１１と下部前板１３が一体となり開閉するもの、前記透明板保持枠８とこれらが一体になったものがあるが、これらいずれのタイプのパチンコ遊技機についても本発明が適用できること勿論である。
【図面の簡単な説明】
【００３１】
【図１】本発明が適用されるパチンコ遊技機の斜視図。
【図２】透明板保持枠を開いたパチンコ遊技機の斜視図。
【図３】前面枠のスピーカの取付部位を示す分解斜視図。
【図４】組立てた状態のスピーカの側面断面図。
【図５】（イ）は透明板保持枠を開いた状態のパチンコ遊技機におけるスピーカ部位の側面断面図、（ロ）は透明板保持枠を閉じた状態のパチンコ遊技機におけるスピーカ部位の側面断面図。
【図６】組立てた状態の他の実施の形態に係るスピーカの側面断面図。
【図７】（イ）は透明板保持枠を開いた状態のパチンコ遊技機における他の実施の形態に係るスピーカ部位の側面断面図、（ロ）は透明板保持枠を閉じた状態のパチンコ遊技機における他の実施の形態に係るスピーカ部位の側面断面図。
【図８】（イ）は透明板保持枠を開いた状態のパチンコ遊技機における他の実施の形態に係るスピーカ部位の側面断面図、（ロ）は透明板保持枠を閉じた状態のパチンコ遊技機における他の実施の形態に係るスピーカ部位の側面断面図。
【符号の説明】
【００３２】
８                回動被覆板（透明板保持枠）
１７              スピーカ
１７ａ            スピーカ
１７ｂ            スピーカ
３１              環状パッキン
３３              スピーカカバー部
３５              透音孔
３７              環状パッキン
Ａ                遊技機本体
Ｐ                弾球遊技機（パチンコ遊技機）
【図１】
2006271656.tif 000003
【図２】
2006271656.tif 000004
【図３】
2006271656.tif 000005
【図４】
2006271656.tif 000006
【図５】
2006271656.tif 000007
【図６】
2006271656.tif 000008
【図７】
2006271656.tif 000009
【図８】
2006271656.tif 000010